(57)【要約】【課題】布製品に脱臭除菌剤を貫流させることで、布製品の全体に脱臭殺菌剤をほぼ均等に作用させて、布製品の厚いものや、複層をなすもの、折り重ねられたものでも全体をほぼ均等に脱臭除菌することができる方法を提供すること。【解決手段】脱臭除菌すべきき布製品を、脱臭除菌剤を含ませて通気可能に支持させ、この布製品に高速気流を貫流させて、含ませた脱臭除菌剤の貫流を誘起させ、上記布製品の全体に対してほぼ均等な脱臭除菌作用が加えられるにしたこと。【選択図】図１
2011219884.tif 000002
【特許請求の範囲】
【請求項１】
脱臭除菌すべきき布製品を、脱臭除菌剤を含ませて通気可能に支持させ、
この布製品に高速気流を貫流させて、含ませた脱臭除菌剤の貫流を誘起させ、
上記布製品の全体に対してほぼ均等な脱臭除菌作用が加えられるようにした
ことを特徴とする布製品の脱臭除菌方法。
【請求項２】
脱臭除菌すべきき布製品を、脱臭除菌剤を含ませて通気可能に支持させ、
この布製品に高速気流を貫流させて、含ませた脱臭除菌剤の貫流を誘起させ、
上記布製品の全体に対してほぼ均等な脱臭除菌作用が加えられるようにするとともに、
布製品を貫流した脱臭除菌剤を、高速気流から分離回収して再使用できるようにした
ことを特徴とした布製品の脱臭除菌方法。
【請求項３】
脱臭除菌すべきき布製品を、脱臭除菌剤を含ませて通気可能に支持させ、
この布製品に高速気流を貫流させて、含ませた脱臭除菌剤の貫流を誘起させ、
上記布製品の全体に対してほぼ均等な脱臭除菌作用が加えられるようにするとともに、
上記高速気流の貫流を、脱臭除菌剤が布製品に含まれなくなった後も少し続けて布製品
を乾燥させるようにした
ことを特徴とした布製品の脱臭除菌方法。
【発明の詳細な説明】
【技術分野】
【０００１】
本発明は、衣類、寝具、その他の布製品を脱臭除菌する方法に関する。
【背景技術】
【０００２】
アルコール系の脱臭剤を、臭気発生元に対して噴霧又は散布等することにより、多様な臭気の発生元である生ゴミ臭、魚臭、煙草臭、焼肉臭、室内臭、車内臭あるいはベッド臭、靴臭や足臭の原因となる酢酸臭やアンモニア臭等の臭気を効率よく脱臭することができることは特許文献１により知られている。
【０００３】
しかしながら、上記の通り脱臭剤を臭気の発生元に対して噴霧又は散布する脱臭手段では、糸を網み組みした布製品では糸の内部にまで脱臭剤を浸透させて、この部分に存在する臭気の発生元を消滅させることは困難であって、この現象は布製品が厚いものや、複層をなすもの、折り重ねられたものほど著しくなり、多くの脱臭剤を噴霧又は散布しても、布製品の表面側に対して過剰な脱臭除菌作用が加えられるだけで、布製品の内部には脱臭除菌の作用が及びにくいため、布製品の内部には臭気の発生元が残って時間の経過と共に繁殖し、再び臭気を発するようになるものであって、しかも、この噴霧や散布による方法では細菌類を完全に死滅させる殺菌は不可能であり、回収すれば再利用可能な脱臭除菌剤が空気中へ散逸して無駄になる問題点があった。
【先行技術文献】
【特許文献】
【０００４】
【特許文献１】特開２００６−１３６６９５号
【発明の概要】
【発明が解決しようとする課題】
【０００５】
本発明は、上記問題点を解消するため、布製品に脱臭除菌剤を貫流させることで、布製品の全体にほぼ均等に脱臭殺菌剤を作用させて、あらゆる布製品を容易に確実に脱臭除菌することができる方法を提供することをその課題とする。
【課題を解決するための手段】
【０００６】
前記課題を解決するため、請求項１に係る発明は、脱臭除菌すべき布製品を、脱臭除菌剤を含ませて通気可能に支持させ、この布製品に高速気流を貫流させて、含ませた脱臭除菌剤の貫流を誘起させ、上記布製品の全体に対してほぼ均等な脱臭除菌作用が加えられるにしたことを特徴とする。
【０００７】
請求項２に係る発明は、脱臭除菌すべき布製品を、脱臭除菌剤を含ませて通気可能に支持させ、この布製品に高速気流を貫流させて、含ませた脱臭除菌剤の貫流を誘起させ、上記布製品の全体に対してほぼ均等な脱臭除菌作用が加えられるようにするとともに、布製品を貫流した脱臭除菌剤を、高速気流から分離回収して再使用することができることを特徴とする。
【０００８】
請求項３に係る発明は、脱臭除菌すべきき布製品を、脱臭除菌剤を含ませて通気可能に支持させ、この布製品に高速気流を貫流させて、含ませた脱臭除菌剤の貫流を誘起させ、
上記布製品の全体に対してほぼ均等な脱臭除菌作用が加えられるようにするとともに、上記高速気流の貫流を、脱臭除菌剤が布製品に含まなくなった後も少し続けて、布製品を乾燥させるようにしたことを特徴とする。
【発明の効果】
【０００９】
請求項１に係る発明によれば、脱臭除菌剤が高速気流により霧化されて、布製品を貫流するため、布製品が薄いものは勿論、厚いものや、複層のもの、折り重ねたものであっても、その全体へなるべく平均に脱臭除菌剤を作用させることができて、しかも、脱臭除菌剤の貫流時間を加減すれば、あらゆる布製品の簡便な臭い取りから、完全な脱臭殺菌までを容易に確実に行うことができる。
【００１０】
請求項２に係る発明によれば、請求項１に係る発明の効果に加えて、布製品を貫流した脱臭除菌剤を、高速気流から分離回収して機能の限界まで反復して使用することができる。
【００１１】
請求項３に係る発明によれば、請求項１に係る発明の効果に加えて、脱臭除菌剤を含まなくなった布製品に高速気流を貫流させることで、脱臭除菌に剤脱臭加えて布製品の乾燥をも行うことができる。
【図面の簡単な説明】
【００１２】
【図１】本発明に係る布製品の脱臭除菌方法を自動で実施する装置の説明図。
【図２】布製品に脱臭除菌剤を浸漬で含ませる説明図。
【図３】布製品に含ませた脱臭除菌剤の余剰分を搾出する説明図。
【図４】本発明に係る布製品の脱臭除菌方法を手動で実施する装置の一例を示す説明図。
【図５】同上方法を手動で実施する装置の他の例を示す説明図。
【発明を実施するための形態】
【００１３】
以下に本発明に係る布製品の脱臭除菌方法の実施形態を図面に基いて説明する。
【実施例１】
【００１４】
この実施例は、布製品の脱臭除菌を自動で行うものであって、図１に示す通り、後記支持体に乗せた布製品１へ脱臭除菌剤（７５％以上のアルコール水溶液が好ましいが、７５％以下のアルコール水溶液、又は他の市販脱臭除菌剤でも可）を噴霧するカバー２付きのノズル３と、タンク４内の脱臭除菌剤を上記ノズル３へ管路５で圧送する電動ポンプ６とよりなる噴霧手段Ａと、脱臭除菌剤を含ませた布製品１に１５リューベ／ｍの高速気流を貫流させる送風機７と、この送風機７を駆動する可変速モーター８と、高速気流が貫流するように、布製品１を支持する通気構造の支持体９とよりなる高速気流の発生手段Ｂと、布製品１を貫流した空気に含まれる脱臭除菌剤を捕集するたわし用カール線等の捕集材１０と、この捕集材１０に捕集された脱臭除菌剤を冷却する冷却機１１と、脱臭除菌剤を分離された空気を受け入れて外部へ排出する空気室１２を内設したケース１３と、回収された脱臭除菌剤を上記タンク４へ送る配管１４とよりなる回収手段Ｃを備える装置を用いて実施する。
【００１５】
上記装置は布製品１に脱臭除菌剤を含ませる操作を噴霧で行ったが、浸漬でも行えるものであり、この場合は、図２に示す通り布製品１を網篭１５に入れて、網蓋１６で布製品１を抑え、密閉可能なケース１７内に収容した脱臭除菌剤の溜り１８へ浸漬する。そして
、布製品１が脱臭除菌剤を吸収したら、図３に示す通り網篭１５を脱臭除菌剤から離れる位置に引き上げて保持させ、網蓋１６を外して布製品１の上へ板錘１９を乗せ、脱臭除菌剤の余剰分を布製品１から搾り出させて必要量だけを含ませる浸漬手段Ｄを用いる。
【００１６】
上記装置を用いた布製品１の脱臭除菌は、通気構造の支持体９に布製品１を、支持体９よりも大きい場合は折り重ねる等し、小さい場合は、複数を並べたり、隙間ができる場合は、隙間に塞片を置く等して大きさを支持体９に合わせて乗せ置く。そして、噴霧手段Ａの電動ポンプ６を運転し、７５％のアルコール水溶液を脱臭除菌剤として、管路５でカバー２付きのノズル３へ送り、ノズル３から布製品１へ噴霧させる。すると布製品１は噴霧された脱臭除菌剤を吸収して含むから、脱臭除菌剤の必要量を含んだとき噴霧を停止し、高速気流の発生手段Ｂの送風機７を可変速モーター８で低速回転させ、布製品１にゆるやかな気流を通して、脱臭除菌剤が布製品１の各所へ分散して含み量がほぼ均等となるようにする。
【００１７】
そして、上記送風機７を高速度で回転させ、１５リューベ／ｍの高速気流を発生させると、この高速気流は布製品１を貫流して、布製品１に含まれた脱臭除菌剤を霧化させ、高速気流に随伴流動させるため、霧化した脱臭除菌剤は、布製品１を貫流して該布製品１の各部に存在する臭気の原因となる細菌類にほぼ均等に作用する。従って、布製品は薄いものは勿論、厚いものや、複層のもの、折重ねられたもの等であっても、脱臭除菌の作用が各部へほぼ均等に加えられるから、臭気元の細菌類が効果的に除去されて布製品を不快臭がなくて衛生的なものとする。
【００１８】
しかし、上記の通り布製品１に脱臭除菌剤を含ませて、高速気流で貫流を生じさせる場合、脱臭除菌剤は１分程度で布製品には含まれなくなるから、布製品に含まれた細菌類に作用する時間が短かくて、細菌類の量が多いと十分な脱臭除菌の効果が得られないことがある。そこで、このような場合は、高速気流の貫流で脱臭除菌剤を貫流させながら、布製品に対して連続か、または断続で脱臭除菌剤を噴霧又は散布して、布製品１が脱臭除菌剤を絶えず含み続けるようにする。こうすると、脱臭除菌剤が布製品を貫流する時間を希望通りに設定することができるから、この時間の調整で布製品に対する脱臭除菌の程度を任意に加減することができて、しかも、脱臭除菌剤として７５％以上のアルコール水溶液を用い、この脱臭除菌剤を貫流で７分以上、布製品に作用させるようにすれば、完全な殺菌効果を得ることも可能である。
【００１９】
また、布製品１を貫流して脱臭除菌を行った脱臭除菌剤は、送風機７から回収手段Ｃのケース１３内へ送られ、冷却機１１による冷却で低温になっている捕集材１０の間を通過するとき、捕集材１０に付着して凝集し、液滴になるとケース１３の底へ落ちて溜まり、液の脱臭除菌剤に復元して配管１４でタンク４へ戻されるから、脱臭除菌剤を繰り返し使用することで、脱臭除菌剤の無駄をなくすことができる。
【００２０】
更に、脱臭除菌剤の気化による布製品１の貫流を誘起させる高速気流は、布製品１に含まれた脱臭除菌剤がなくなった後も、少し布製品の貫流を続ければ、布製品の風乾が行われるため、脱臭除菌後に乾燥を行う手数を省くことができる。
【実施例２】
【００２１】
この実施例は、脱臭除菌を人手で行うものであって、図４に示す通り、布製品１へ脱臭除菌剤を噴霧するカバー２０付きのノズル２１をセットしたグリップ２２と、上記ノズル２１へタンク２３の脱臭除菌剤を管路２４で圧送する電動ポンプ２５とよりなる噴霧手段Ａ１と、脱臭除菌剤を含んだ布製品１に高速気流を貫流させる送風機２６と、この送風機２６を駆動する可変速モーター２７と、高速気流を貫流させるように布製品１を支持する通気構造の支持体２８を取り付けた吸引カップ２９をセットしたグリップ３０と、上記吸引カップ２９と送風機２６を接続した管路３１とよりなる高速気流の発生手段Ｂ１と、布製品１を貫流した空気に含まれる脱臭除菌剤を捕集するたわし用カール線等の捕集材３２と、捕集された脱臭除菌剤を冷却する冷却機３３と、脱臭除菌剤を分離された空気を受け入れて外部へ排出する空気室３４を内設したケース３５と、回収された脱臭除菌剤を上記タンク２３へ送る配管３６とよりなる回収手段Ｃ１を備える装置により実施する。
【００２２】
上記装置を用いた布製品１の脱臭除菌は、噴霧手段Ａ１のグリップ２２にセットされたカバー２０付きノズル２１を公知のハンガー、クリップ、その他に吊持された布製品１の一面へ当てて、電動ポンプ２５で管路２４を経てノズル２１へ脱臭除菌剤を送り、ノズル２１から布製品１へ噴霧させる。すると、布製品１は噴霧された脱臭除菌剤を吸収して含むから、脱臭除菌剤の必要量を含んだとき噴霧を停止し、高速気流の発生手段Ｂ１のグリップ３０にセットされた支持体２８を布製品１の他面に当てて、送風機２６を可変速モーター２７で低速回転させ、布製品１にゆるやかな気流を通して、脱臭除菌剤を布製品１の各所へ分散させて含み量がほぼ均等となるようにする。
【００２３】
そして、上記送風機２６を可変速モーター２７により高速度で回転させ、１５リューベ／ｍの高速気流を発生させれば、この高速気流は布製品１を貫流して、布製品１に含まれる脱臭除菌剤を霧化させ、高速気流に随伴流動させるから、霧化した脱臭除菌剤は、布製品１を貫流して布製品１の各部に存在する細菌類にほぼ一様に作用する。従って、布製品１は薄いものは勿論、厚いものや、複層のもの、折重ねられたもの等であっても脱臭除菌を確実に行われて、布製品１を不快臭がなくて衛生的なものとするものであって、この実施例では、カバー２１付きのノズル２２と、支持体２８付きの吸引カップ２９を移動させれば、布製品１の各部に対して脱臭除菌を及ばせることができるもので、この際、細菌類の量が部分的に相違すれば、その量に応じて脱臭除菌剤の噴霧を連続または断続で行い、布製品の脱臭除菌剤の含みを持続させながら高速気流を貫流させる時間の調整を行えば、布製品の部分、部分に対して最適な脱臭除菌の効果を得ることができる。
【００２４】
上記の通り布製品１を貫流して脱臭除菌を行った脱臭除菌剤は、その回収手段Ｃ１に達すると、冷却機３３により冷却されて低温になっている捕集材３２の間を流れるとき、捕集材３２に付着して凝集し、液滴になるとケース３５の底に落ちて溜まり、脱臭除菌剤の液に復元して配管３６によりタンク２３へ戻され再使用されることになる。
【００２５】
更に、脱臭除菌剤の気化による布製品１の貫流を誘起させる高速気流は、布製品１が含む脱臭除菌剤がなくなった後も、少し布製品の貫流を続ければ、布製品の風乾が行われるため、脱臭除菌後に乾燥を行う手数を省くことができる。
【実施例３】
【００２６】
この実施例は、脱臭除菌を人手で行う他の例であって、図５に示す通り、片方の手袋３７で布製品１に脱臭除菌剤を含ませることも、含ませた脱臭除菌剤を貫流させることもきるようにするため、手袋３７の掌側において５指の先端部にそれぞれ脱臭除菌剤を噴霧するノズル３８を設け、これらノズル３８とタンク３９の脱臭除菌剤を圧送する電動ポンプ４０とを管路４１で接続した脱臭除菌剤の噴霧手段Ａ２と、上記各ノズル３８に対応させて、５指の中間部及び掌の中央部にそれぞれ吸引口４２を設けて、各々に通気構造とした布製品１の支持体４３を取り付け、上記吸引口４２に可変速モーター４４で駆動される送風機４５を管路４６で接続した高速気流の発生手段Ｂ２と、布製品１を貫流した空気に含まれる脱臭除菌剤を捕集するたわし用カール線等の捕集材４７と、捕集された脱臭除菌剤を冷却する冷却機４８と、脱臭除菌剤を分離された空気を受け入れて外部へ排出する空気室４９を内設したケース５０と、回収された脱臭除菌剤をタンク３９へ送る配管５１とよりなる回収手段Ｃ２を備えた装置により実施する。
【００２７】
上記装置を用いた布製品１の脱臭除菌は、手袋３７の掌側を布製品１の上面に当てて、電動ポンプ４０でノズル３８へ脱臭除菌剤を送り、ノズル３８から台５２等の上へ置いた布製品１へ脱臭除菌剤噴霧させる。すると布製品１は噴霧された脱臭除菌剤を吸収して含むから、脱臭除菌剤の必要量を含んだときに噴霧を停止し、高速気流の発生手段Ｂ２の送風機４５を可変速モーター４４で低速回転させ、布製品１にゆるやかな気流を通して、脱臭除菌剤を布製品１の各所へ分散させ、含み量がほぼ均等となるようにする。
【００２８】
そして、上記送風機４５を高速度で回転させて、１５リューベ／ｍの高速気流を発生させると、この高速気流は布製品１を貫流して、布製品１に含まれる脱臭除菌剤を霧化させ、気流に随伴流動させるから、霧化した脱臭除菌剤は、布製品１を貫流して布製品１の各部に存在する細菌類にほぼ均等に作用するから、布製品１が薄いものは勿論、厚いものや、複層のもの、折重ねられたもの等であっても脱臭除菌が確実に行われて、布製品１を不快臭がなくて衛生的なものにする。この実施例も手袋３７でノズル３３と、支持体４３付きの吸引口４２を移動させて、布製品１の各部に対して脱臭除菌を加えさせるもので、この際、細菌類の量が部分的に相違すれば、その量に応じて布製品１に対して連続または断続した供給で脱臭除菌剤を含ませ続けて、高速気流により脱臭除菌剤を貫流させる時間を調整すれば、布製品の部分、部分に対して最適な脱臭除菌効果を得ることができる。
【００２９】
上記の通り布製品１を貫流して脱臭除菌を行った脱臭除菌剤は、その回収手段Ｃ２に達すると、冷却機４８により冷却されて低温になっている捕集材４７の間を流れるとき、捕集材４７に付着して凝集し、液滴になるとケース５０の底に落ちて溜まり、脱臭除菌剤の液に復元して、配管５１でタンク３９へ戻されて再使用されることになる。
【００３０】
更に、脱臭除菌剤の気化による布製品１の貫流を誘起させる高速気流は、布製品１が含む脱臭除菌剤がなくなった後も、布製品の貫流を少し続けさせれば、布製品の風乾が行われるため、脱臭除菌後に乾燥を行う手数を省くことができる。
【産業上の利用可能性】
【００３１】
細菌の付着で帯臭した衣類、寝具、その他の布製品を、脱臭除菌剤の貫流によって、布製品の各部にむらなく脱臭除菌材を作用させて、あらゆる布製品を容易に確実に脱臭除菌するのに利用できる。
【符号の説明】
【００３２】
１    布製品
２    カバー
３    ノズル
４    タンク
５    管路
６    電動ポンプ
７    送風機
８    可変速モーター
９    支持体
１０    制御板ケース
１１    冷却機
１２    空気室
３７    センサ板
【図１】
2011219884.tif 000003
【図２】
2011219884.tif 000004
【図３】
2011219884.tif 000005
【図４】
2011219884.tif 000006
【図５】
2011219884.tif 000007